(57)【特許請求の範囲】
【請求項１】
身体的機能の低下を再現するために膝関節に装着される疑似体験具であって、
伸縮性を有し膝関節に対して固定部材の上から重ねて巻着可能な長さを有するとともに左右両端に膝関節に対する巻着固定を可能とするための固着部材が設けられ、膝関節の上から重ね巻きして被着される帯状の膝当て部材と、伸縮性を有し表面略中央部に膝当て部材が取付けされる膝裏を被着するための膝裏当て部と膝裏当て部の左右両端から二股状に延設され膝近傍に対して巻付け固定する一対の固定バンド部とから成り各固定バンド部の間には凹部が設けられ展開形状略エ字状を呈する固定部材とから成り、前記膝当て部材は膝裏当て部の凹部に重なるようにして設けられた疑似体験具。
【請求項２】
前記膝当て部材の表面には、膝関節への巻付け具合を調整するための目盛りが表示されていることを特徴とする請求項１記載の疑似体験具。
【発明の詳細な説明】
【技術分野】
【０００１】
本発明は、高齢等による身体的機能の低下やそれに伴う心理的変化を疑似的に体験するための疑似体験具に関する。
【背景技術】
【０００２】
近年、福祉事業に対する関心が高まりつつあり、殊に先進諸国では高齢化に対して国や企業がいかに取り組むべきかという問題が浮上している。すでに身体的機能が低下しつつある高齢者であっても、公的あるいは民間による福祉事業により生活を援助してもらうことが可能である。
【０００３】
また上述したような人的援助の他に、各種の身体的な障害に合わせて腕や足等の動作を補助する補助具が利用されている。これらの器具の中には日々改良されるものや新しく考案されて登場したものまで様々である。
【発明の開示】
【発明が解決しようとする課題】
【０００４】
ところで、上述の福祉事業にしても器具の開発にしても、高齢化等による身体的機能の低下を経験していない人にとっては無縁のものであり、これに対して一般の人が積極的に関心をもつということは期待できなかった。最近では、新聞や雑誌等のメディアを通して福祉の重要性を問いかける等人々の関心を引きつける努力がなされている。しかしながら、高齢化等による障害がどの程度生活に不具合を及ぼすものなのかは実際に体験しないと実感することは困難であり、疑似的な体験を通じてでないと上述の福祉事業にしても器具の開発にしても柔軟な発想や新しい発想を得ることは困難であった。
【０００５】
このような理由から、本願出願人は、特開平７−１３７３７９号において、高齢者の身体的機能の低下を疑似的に再現するための高齢者疑似体験用キットについて提案している。しかしながら、この高齢者疑似体験用キットの構成要件である各器具の中には、以下のような問題点が考えられるに至った。
【０００６】
即ち、まず、高齢者特有の前屈姿勢を再現するための荷重用上着については、重りを収納する収納部および上着本体の前合わせに対して、重りの重量への対策が何らなされていなかった。従って、図２４に示すように、上着本体１０１の前面に設けた収納部１０２に重り１０３を収納すると、重り１０３の重さに収納部１０２の開口部１０４を閉塞するボタン１０５が耐えられず、開口部１０４が開口してしまう場合があった。このとき、装着者は前屈姿勢が再現された状態で歩行等の動作を行うため、収納部１０２から重り１０３が脱落してしまう危険性があった。また、図２５に示すように、装着しながら歩行等の動作を行った場合には重り１０３の重量によって、上着本体１０１の前合わせ１０６を挟んだ左右が位相してしまい、このとき前合わせ１０６が開いてしまうこともあった。
【０００７】
また、高齢者特有の肘関節の緩慢な動きを再現するための肘固定具については、まず凹部が手のひら側にくるようにして肘当て部材を肘当て部材の裏面に設けられた固着面で仮止めし、紐状部材をリングに挿通して折返し適度に絞り込んだところで先端の固着部材を固着させ、さらに紐状部材を交差させて巻付けるという何段階にもおよぶ装着作業を必要とした。
【０００８】
従って、自分一人で装着をしようとすると、片手だけでの装着作業となるにもかかわらず複雑な工程での装着が必要となるため、自分一人で装着することが難しかった。また、装着に時間を要するため、積極的に疑似体験を行ってもらうことは困難であった。さらに、疑似体験は、装着の仕方等によって装着者の体験の内容や感じ方が異なってくるので正確な装着が必要となるが、上記の複雑な装着工程では、時間を要すると同時に装着に正確さを欠いてしまうこともあった。その結果、例えば金属板が腕を挟持する位置とは異なる位置に装着されてしまう等、不快感を覚えるような装着になってしまい、発明者が想定した本来の疑似体験空間を常に作りだすことが困難であった。
【０００９】
また、腕の筋力の低下による緩慢な動きを再現するための手首荷重用バンドについては、図２６に示すように、固着部材３０８を被固着部材３０９に固着して手首Ｓにバンド本体３０２を装着しようとするときは被固着部材３０９が上方にくることになるので、バンド本体３０２の長手方向に収納した複数の重り３０３，３０４，３０５，３０６，３０７のすべてが落下しやすい位置にきてしまう。従って、一人で装着しようとすれば片手が使えない関係上バンド本体３０２を支持しておくことができず、各重りの重さでバンド本体３０２は落下してしまった。また、仮に手首Ｓにバンド本体３０２を巻付けすることができても、疑似体験を行うのに好適な固着状態（手首にバンド本体３０２がフィットした固着状態）にしようとするときには、やはりバンド本体３０２が落下してしまう可能性があった。その結果、装着者自身が一人で容易に、しかも再現性の高い疑似体験を可能とする正確な装着は困難であった。
【００１０】
また、高齢者特有の膝関節の緩慢な動きを再現するための膝固定具については、凹部が膝裏にくるようにして膝当て部材を膝当て部材の裏面に設けられた固着面で仮止めし、その後紐状部材をリングに挿通して折返し適度に絞り込んだところで先端の固着部材を固着させ、さらに紐状部材を交差させて巻付けし、最後に、紐状部材をリングに挿通して折返し適度に絞り込んだところで先端の固着部材を固着させるという何段階にもおよぶ装着作業を必要とした。
【００１１】
従って、複雑な工程での装着が必要となって時間を要するため、積極的に疑似体験を行ってもらうことは困難であった。また、疑似体験は、装着の仕方等によって装着者の体験の内容や感じ方が異なってくるので正確な装着が必要となるが、上記の複雑な装着工程では、肘固定具と同様、時間を要すると同時に装着に正確さを欠いてしまうこともあった。その結果、例えば金属板が膝を挟持するような位置と異なる位置に装着されてしまう等、却って不快感を覚え、発明者が想定した本来の疑似体験空間を常に作りだすことが困難であった。
【００１２】
また、高齢者特有の足首の緩慢な動きを再現するための足首半固定具については、図２７に示すように、靴を履いたまま足首当て部材５０２を足首および足首近傍に被着させ展開形状部位５０４を筒状にして固着部材５０８で仮止めしようとすると、足のサイズが大きかったり、又は外形の大きい靴を履いていた場合には、靴に当接する展開形状部位５０４のかかと側の両端５０５，５０６が届かず固着部材５０８で仮止めするのが困難であった。従って、この場合には足首当て部材５０２の足首へのフィット感が不十分となり、結果として装着に正確さを欠くことになるので、発明者が想定した本来の疑似体験空間を作りだすことが困難であった。
【００１３】
さらに、上記各疑似体験具においては、自分一人で装着するのが困難な場合には他人の手助けを得て装着することになる。従って、装着した際に例えば締付けが強かったり、緩かったりする等して、本来の疑似体験空間を再現できず、また装着者自身にとって最適な状態での疑似体験が困難であった。
【００１４】
そこで、本発明は、上記各体験具について、以上のような問題点を解決するために提案されたものであって、装着者自身が一人で容易に装着することができ、より快適かつ最適な状態で高い再現性をもった疑似体験を可能とするための疑似体験具を提供すること目的とする。
【課題を解決するための手段】
【００１５】
上記課題を解決するため、請求項１記載の疑似体験具は、身体的機能の低下を再現するために膝関節に装着される疑似体験具であって、
伸縮性を有し膝関節に対して固定部材の上から重ねて巻着可能な長さを有するとともに左右両端に膝関節に対する巻着固定を可能とするための固着部材が設けられ、膝関節の上から重ね巻きして被着される帯状の膝当て部材と、伸縮性を有し表面略中央部に膝当て部材が取付けされる膝裏を被着するための膝裏当て部と膝裏当て部の左右両端から二股状に延設され膝近傍に対して巻付け固定する一対の固定バンド部とから成り各固定バンド部の間には凹部が設けられ展開形状略エ字状を呈する固定部材とから成り、前記膝当て部材は膝裏当て部の凹部に重なるようにして設けられている。
【００１６】
この発明によると、固定部材の膝裏当て部を膝裏に被着させた後、固定バンド部を伸張させながら膝近傍に巻付け固定させる。そして、膝当て部材を伸張させながら膝裏当て部の上から膝関節に対して重ねて巻付けすると、疑似体験具は膝関節に装着される。装着者には、膝関節に重ねて巻付けられる膝当て部材によって強制的に膝関節の屈曲が規制された状態が再現される。
【００１７】
請求項２記載の発明によると、請求項１記載の疑似体験具において、前記膝当て部材の表面には、膝関節への巻付け具合を調整するための目盛りが表示されていることを特徴とする。
【００１８】
この発明によると、目盛りの表示に合わせて膝当て部材を巻着させることによって、膝当て部材への巻付け状態が調整される。
【００１９】
本発明に関連する疑似体験具は、身体的機能の低下を再現するために上半身に装着される疑似体験具であって、上半身に被着され前合わせを有する上着本体と、上着本体の左右前面に設けられた収納部と、前屈姿勢保持のため収納部に収納される重りとから成り、前合わせと収納部の開口部とが重りによって開口しない閉塞部材によって閉塞される。
【００２０】
この疑似体験具によると、上着本体は前合わせを利用して上半身に被着され、左右前面の収納部には重りが収納される。上着本体の前合わせを閉塞部材で閉塞し、収納部の開口部を閉塞部材で閉塞すると、重りの収納状態が維持され重りによっても各開口部は開口しない。装着者には、疑似体験具によって強制的に前屈姿勢が再現される。
【００２１】
本発明に関連する疑似体験具は、上記の疑似体験具において、閉塞部材が、金属製のファスナーから成ることを特徴とする。
【００２２】
この疑似体験具によると、金属製のファスナーによって収納部の開口部は収納された重りが脱落せずに閉塞される。また、上着本体の前合わせも重りによって開口せずに閉塞される。
【００２３】
本発明に関連する疑似体験具は、身体的機能の低下を再現するために肘関節に装着される疑似体験具であって、肘関節に被着される肘当て部と、伸縮性を有し肘当て部の左右両端から二股状に延設され肘近傍に固定される一対の固定バンド部とから成り、左右いずれか一端の固定バンド部は肘近傍に対して巻付け可能な長さを有し長さ方向一面に固着部材が設けられ、他端の固定バンド部は長さ方向他面の自由端側に固着部材が仮止めされる仮止め面が設けられ基端側に固着部材が固着される固着面とが設けられる。
【００２４】
この疑似体験具によると、肘当て部を肘関節に被着させた後、二股状に延設された一対の固定バンド部を肘近傍に対して巻付けながら、固着部材を他端の固定バンド部の仮止め面に仮止めさせる。そして、一対の固定バンド部のうち一方を伸張させながら固着部材を固着面に固着させ、他方の固着部材も同様に伸張させながら固着面に固着させると、疑似体験具が肘関節に被着される。装着者には、肘当て部によって強制的に肘関節の屈曲の規制された状態が再現される。
【００２５】
本発明に関連する疑似体験具は、上記の疑似体験具において、肘当て部には、中芯部材が長さ方向に直交して設けられていることを特徴とする。
【００２６】
この疑似体験具によると、疑似体験具を肘関節に装着すると、中芯部材が肘当て部の巻付け方向に対して直交して装着され、より肘関節の屈曲が規制される。
【００２７】
本発明に関連する疑似体験具は、身体的機能の低下を再現するために手首に装着される疑似体験具であって、手首への巻付け方向に連接された袋状の収納部に重りが収納されて成るバンド本体と、バンド本体表面の巻付け方向一端で重りに近接して設けられるリング部材と、バンド本体表面の巻付け方向の他端から延設されリング部材に挿通する紐状部材と、紐状部材の一面に設けられ紐状部材の先端部を折り返すと自身の任意の位置に固着してバンド本体を環状にする固着部材とから成り、固着部材の固着位置を移動させることによって環状にしたバンド本体を手首の挿通する大きさから絞り込み可能にする。
【００２８】
この疑似体験具によると、バンド本体の一端のリング部材に他端から延設された紐状部材を挿通させ、このリング部材を軸として紐状部材の先端部を折り返し、固着部材を自身の任意の位置に固着させる。これにより、バンド本体は手首が挿通する大きさの環状に形成される。バンド本体を手首に装着させた後、重りに近接するリング部材を軸として固着部材の固着位置を移動させると、バンド本体は手首に対して緩みのない状態まで絞り込みされる。装着者には、バンド本体を構成する重りの重さによって、腕の筋力の低下が再現される。
【００２９】
本発明に関連する疑似体験具は、身体的機能の低下を再現するために足首に装着される疑似体験具であって、靴型形状を呈し足首から爪先方向に向かって筒状に設けられた筒状部と足首から膝方向に向かって展開形状に設けられた展開部とから成る足首当て部材と、足首当て部材の左右両側面に取付けされる足首当板と、足首当て部材に取付けされ足首当て部材の表面に巻着固定される巻着部材とから成り、上記展開部の左右いずれか一端には展開部を筒状にして固着する固着部材が取付けされ、固着部のかかと側に位置する端部からはこの固着部が固着しなかった場合に足首当て部材の表面に固着される固着補助部材が延設されている。
【００３０】
この疑似体験具によると、足首当て部材の筒状部を靴の上から装着して足首を足首当板に挟持させた後、展開部の固着部材の膝側の部分を固着させる。そして、かかと側の固着部材を固着させる、又はかかと側の固着部材の端部から延設された固着補助部材を足首当て部材の表面に固着させて展開部を筒状にする。この後、巻着部材を足首当て部材の表面に巻着固定させて疑似体験具を足首に固定させる。装着者には、足首当て部材に取付けされた足首当板によって足首の屈曲を規制された状態が再現される。
【発明の効果】
【００３１】
以上説明したように本発明の疑似体験具によれば、装着者は固定部材と膝当て部材とを、それぞれ膝近傍および膝関節に巻付けするだけで装着することができるので、一人で短時間のうちに装着することができ、その結果装着の煩わしさを解消してより多くの人に疑似体験の機会を与えることが可能となる。また、装着者自身で装着することができ、伸縮性を有する部材を巻付けていることから、膝近傍への巻付け具合等、装着者にとってより最適な状態で疑似体験をすることができる。
【００３２】
また、本発明に関連する疑似体験具によれば、前屈姿勢を保持するために容易に装着することができ、また、上着本体の前合わせ、収納部の開口部をそれぞれ重りの重さによって開口することのない部材を用いて閉塞するようにしたので、装着後の重りの脱落を防止することができ、疑似体験についての安全性を向上させることができる。
【００３３】
また、本発明に関連する疑似体験具によれば、装着者は肘当て部の両端から延設された一対の固定バンド部を固着させながら、しかも仮止め，巻付け状態での固着と、多くても二段階で固着させることができるので、一人でかつ短時間で容易に装着することができ、その結果装着の煩わしさを解消してより多くの人に疑似体験の機会を与えることが可能となる。また、装着者自身で装着することができ、伸縮性を有する部材を巻付けていることから、肘近傍への巻付け具合等、装着者にとってより最適な状態での疑似体験をすることができる。
【００３４】
また、本発明に関連する疑似体験具によれば、リング部材の近接する重りが手首の上で支持する役割を果たすことになり、装着者は固着部材の固着位置を片手で移動させるだけでバンド本体を手首に対して絞り込みすることができるので、片手であっても一人で容易に装着することができ、しかも手首にフィットした好適な疑似体験空間にすることができる。
【００３５】
さらに、本発明に関連する疑似体験具によれば、固着補助部材を設けることによって、装着者の足や靴のサイズが大きくても、固着補助部材を巻着させるだけで、装着者を選ぶことなく、しかも容易に装着することができる。従って、より多くの人に疑似体験の機会を与えることができる。
【発明を実施するための最良の形態】
【００３６】
以下、図面に基づいて、本発明に係る疑似体験具の一実施の形態を説明する。なお、各疑似体験具は、それぞれ個別に装着して疑似体験をすることは勿論のこと、各疑似体験具のすべてを同時に装着する等、組合わせて装着することもできる。
【００３７】
図１〜図５は、上半身に装着され、高齢者等に生じる前屈姿勢を疑似体験するための疑似体験具の一実施の形態を示す。
【００３８】
疑似体験具１０は、図示の如く、装着者の上半身に被着される上着本体１１と、重りを収納するための収納部１３と、この収納部に収納される重り１５とから概略構成される。
【００３９】
上着本体１１は、肘関節用の疑似体験具や手首用の疑似体験具を同時に装着する場合を考慮して袖の部分をなくしたチョッキタイプが採用される。上着本体１１は、前合わせ１２を閉塞部材１７によって閉塞して装着するものであって、この閉塞部材１７には、収納部１３に収納した重り１５によって前合わせ１２が開口しないような部材が用いられる。閉塞部材１７には、例えばガイド具１７ａによって凹凸の噛み込みを自在とする金属製のファスナーが好適である。なお、後面（背中側の面）１１ｂには、暑い日等の疑似体験もできる限り快適なものとするため、メッシュ等通気性の良い素材を用いることができる。
【００４０】
収納部１３は、上着本体１１の前面１１ａであって前合わせ１２を挟んだ左右いずれにも設けられ、図示するように、収納部１３として上段ポケット１３ａ，１３ｂと下段ポケット１３ｃ，１３ｄが設けられている。収納部１３は重り１５を収納した状態で歩行等の動作を行ってもその重さで破損することがないような生地から成り、重り１５が上着本体１１から脱落しないように設けられている。各ポケット１３ａ，１３ｂ，１３ｃ，１３ｄの開口部１４ａ，１４ｂ，１４ｃ，１４ｄにはそれぞれ収納した重りの脱落を防止するための閉塞部材１８ａ，１８ｂ，１８ｃ，１８ｄが設けられ、前述の閉塞部材１７と同様、重り１５によって開口部が開口しないように、金属製のファスナーを用いるのが好適である。
【００４１】
重り１５は、疑似体験具１０を装着した者の前屈姿勢を保持するためのものであって、上着本体１１の左右前面に設けられた収納部１３に左右均等に荷重を掛けて収納するため、複数の重り１５１，１５２，１５３，１５４が設けられている。この重り１５は、これに限定されるものではないが、例えばデニム生地のカバーに鉛を詰込んで成形される。また、重り１５は重量の異なるものを複数用意するのが好ましく、本実施の形態においては、重り１５１，１５２はそれぞれ５００ｇ（グラム）程度であり、重り１５３，１５４はそれぞれ１ｋｇ（キログラム）程度のものを採用している。
【００４２】
次に、疑似体験具１０の使用方法について説明する。まず、装着者は重り１５を収納していない状態の上着本体１１を装着し、より人体のバランスに近い状態での疑似体験を可能とするために、前合わせ１２の閉塞部材１７を閉塞させる。そして、その上着本体１１を装着した状態で、上段ポケット１３ａ，１３ｂあるいは下段ポケット１３ｃ，１３ｄの各々に収納後の装着者のバランスを考慮して荷重が左右均等になるように重り１５１，１５２あるいは重り１５３，１５４を収納させる。なお、本実施の形態においては、１ｋｇの重り１５３，１５４を下段ポケット１３ｃ，１３ｄに収納させる（図２）。そして、重り１５３，１５４を収納させたら、下段ポケット１３ｃ，１３ｄの開口部１４ｃ，１４ｄを閉塞部材１８ｃ，１８ｄで閉塞させる。これにより、装着者は重り１５３，１５４によって上半身に荷重がかけられることから、装着者には強制的に前屈姿勢が再現される（角度α）。この状態で装着者が歩行等の動作を行おうとした場合であっても、前合わせ１２および開口部１４ｃ，１４ｄはいずれも金属製のファスナーから成る閉塞部材１７，１８ｃ，１８ｄで閉塞されているので、重り１５によって開口することはない。なお、重り１５は上着本体１１を装着する前に収納部１３に収納させておくこともできる。
【００４３】
以上より、疑似体験具１０によれば、装着者は上着本体１１の前面１１ａの閉塞部材１７を閉塞させるだけで疑似体験具１０を装着することができ、また重り１５も閉塞部材１８を閉塞させるだけで収納部１３に収納させることができるので、高齢者等に特有の前屈姿勢の疑似体験を容易に行うことができる。
【００４４】
また、上着本体１１の前面１１ａの前合わせ１２、収納部１３の開口部１４をそれぞれ重り１５によって開口することのない部材を用いて閉塞するようにし、さらに収納部１３も重り１５の重さで破損しないようにしたので、装着後の重りの脱落を防止することができる。
【００４５】
なお、重り１５は各種重量のものを複数用意しておくことで、性別，体型（体重），年齢等に応じた疑似体験を行うことができる。例えば、上着本体のサイズに合わせて重り１５を収納させるとした場合、男性であればＬＬサイズが合計４ｋｇの荷重、Ｌサイズが約３ｋｇの荷重、Ｍサイズが約２ｋｇの荷重、Ｓサイズが約１ｋｇの荷重の如くである。また、女性であれば、ＬＬサイズが約３ｋｇである等、男性の同じサイズの荷重より一サイズ分ずつ下げて荷重することができる。これにより、体型を問わず、多くの人に上記高齢者特有の姿勢を体験してもらうことができる。また、装着者の体重に関係なく重量を増やした重り１５を収納部１３に収納させることによって前屈の角度が増してくるので、これにより疑似体験の対象とする年齢を変えることができる。
【００４６】
また、図５に示すように、収納部１３の位置を腹部から胸部に近づけることによって、収納部１３に収納される重り１５の重さは同じであっても、胸部側のポケットに重り１５を収納させることで前屈の角度は腹部のポケット１３ｄに収納した場合の角度αから角度βまで増してくるので、重り１５の重量を変えることなく疑似体験の対象年齢を変えることができる。
【００４７】
図６〜図９は、肘関節に装着され、肘関節の曲がり難さを疑似体験するための疑似体験具の一実施の形態を示す。
【００４８】
疑似体験具２０（２１）は、肘関節に被着される肘当て部２２と、肘近傍に固定される一対の固定バンド部２４，２６とから概略構成される。なお、疑似体験具２０（２１）は、特に固定バンド部２４，２６において適度の伸縮が得られ、長時間の使用においても持続性，適応性の低下がないようにするため、ポリウレタン弾性繊維の不織布構造により成形されるのが好ましい。
【００４９】
肘当て部２２は、肘関節を被着して肘関節の屈曲を規制するためのものであって、積層構造にして設けることができる。かかる積層構造は、ポリウレタン弾性繊維から成る同一素材の部材を積層させることもできるが、図７に示すように、中芯部材２３として天然スポンジラバーを長さ方向に直交させて設けることもできる。
【００５０】
一対の固定バンド部２４，２６は、肘当て部の左右両端から二股状に延設された延設部２４ａ，２４ｂ、延設部２６ａ，２６ｂが組となって構成されるものであって、延設部２４ａと延設部２６ａ、延設部２４ｂと延設部２６ｂのそれぞれの間には凹部２２ａ，２２ａが設けられている。延設部２４ａ，２６ａは、肘近傍に対して伸張させながら巻付けすることのできる程度の長さを有し、裏面２４１，２６１には他端から延設された延設部２４ｂ，２６ｂに固着するための固着部材２５，２５が長さ方向に沿って設けられている。本実施の形態においては、自由端側２４１ａ，２６１ａと基端側２４１ｂ，２６１ｂのそれぞれに設けられ、例えばマジックテープ（登録商標）等が採用される。
【００５１】
延設部２４ｂ，２６ｂは、その表面２４２，２６２の自由端側２４２ａ，２６２ａには前述の固着部材２５，２５が仮止めされる仮止め面２７，２７が設けられている。また、基端側２４２ｂ，２６２ｂには、前述の固着部材２５が延設部２４ａ，２６ａを肘近傍に対して巻付けた状態で固着される固着面２８，２８が設けられている。本実施の形態においては固着部材２５，２５の固着面積を大きくするために、延設部２４ｂ，２６ｂの基端側２４２ｂ，２６２ｂについては連接した状態にしておき、その連接部２９にも固着面２８が設けられている。
【００５２】
なお、固着部材２５，２５の固着位置に自由性を持たせるため、仮止め面２７および固着面２８を設ける代わりに、肘当て部２２，固定バンド部２４，２６の表地にナイロンパイル等を採用し、固着部材２５，２５を直接固着させることもできる。
【００５３】
次に、疑似体験具２０の使用方法について説明する。まず、手のひらを上に向け、腕の裏側から肘当て部２２の裏面が肘関節に被着されるようにして巻付け、丁度腕の曲がる位置に凹部２２ａ，２２ａが当接して円形状の穴Ｈが形成される。この状態で延設部２４ａ，２６ａの固着部材２５，２５を仮止め面２７，２７に仮止めする。このとき固着部材２５，２５については、自由端側２４１ａ，２６１ａと基端側２４１ｂ，２６１ｂのいずれの固着部材を用いてもよいが、仮止めが緩すぎると固着面２８，２８に固着させるときに穴Ｈの位置が移動してしまう場合も生ずるので、基端側２４１ｂ，２６１ｂの固着部材２５，２５で仮止めするのが好ましい。なお、装着者の腕の太さによっては、仮止め面２７，２７が固着部材２５，２５の固着面として機能することもある。
【００５４】
さらに、この仮止めの状態から、まず延設部２４ａの固着部材２５を仮止め面２７から脱着させ、伸張させながらさらに肘近傍に対して巻付けて固着面２８で固着させる。つぎに、延設部２６ａの固着部材２５についても同様にして仮止め面２７から脱着させ、伸張させながら肘近傍に対して巻付けて固着面２８で固着させる。なお、固着部材２５は延設部２４ａ，２６ａのいずれを先に固着面２８に固着させてもよいが、肘関節からの疑似体験具２０の脱落を防止するため、必ず一方が仮止め面２７又は固着面２８に固着しているようにしている。このように疑似体験具２０（２１）を装着した状態で腕を動かそうとすると、積層構造の肘当て部２２が肘関節に被着し、固定バンド部２４，２６が肘近傍に対して巻付けされた状態となるので、肘関節の屈曲度が規制され、腕の曲がり難さが再現される。
【００５５】
以上より、疑似体験具２０によれば、装着者は肘当て部２２の両端から二股状にして延設された一対の固定バンド部２４，２６を固着させながら、しかも仮止め，巻付け状態での固着と、多くても二段階で固着させることができるので、一人で容易に装着することができる。また、装着者自身で装着することができ、かつ伸縮性を有する部材を巻付けていることから、肘近傍への巻付け具合等、疑似体験を最適な状態で行うことができる。
【００５６】
図１０〜図１２は、手首に装着され、腕の筋力の低下を疑似体験するための疑似体験具の一実施の形態を示す。
【００５７】
疑似体験具３０は、重り３４が収納されたバンド本体３２と、バンド本体３２の巻付け方向一端に設けられたリング部材３５と、バンド本体３２の他端から延設された紐状部材３６と、紐状部材３６の一面に設けられた固着部材３８とから概略構成される。
【００５８】
バンド本体３２は、袋状の収納部３３ａ，３３ｂ，３３ｃ，３３ｄが手首Ｓの巻付け方向に連接され、各収納部３３ａ，３３ｂ，３３ｃ，３３ｄの間には各収納部を連接するとともにバンド本体３２を環状にする際に湾曲させ易くするための連接部３２Ａ，３２Ｂ，３２Ｃが設けられている。この各収納部３３には重り３４として粒状の鉛が詰込まれている。そして、重り３４は各収納部３３ａ，３３ｂ，３３ｃ，３３ｄに対して均一の重量となるように収納され、手首Ｓに装着した際に手首の回りで均等の荷重を加えて手首のバランスを良好に保持することができ、例えば重り３４の全体を約０．７５ｋｇとするのが好適である。
【００５９】
リング部材３５は、バンド本体３２を表面（手首Ｓに装着した際に外側にくる面）３２ａの巻付け方向一端に短寸紐状の連結部材３９を介して重り３４に近接させた状態で取付けされている。また、紐状部材３６は、装着者の手首の太さに応じてバンド本体３２の手首Ｓへの巻付け具合を調整できる長さを有し、リング部材３５に挿通しうる大きさであって、バンド本体３２の表面３２ａの巻付け方向他端から延設されている。
【００６０】
固着部材３８は、紐状部材３６の先端３６ａから略中央の位置に掛けて取付けされる固着部３８ａと、紐状部材３６の後端３６ｂから略中央の位置に掛けて取付けされる被固着部３８ｂとから成り、例えばマジックテープ（登録商標）等を採用することができる。この固着部材３８は、紐状部材３６の表面３６ｃに取付けされる。
【００６１】
次に、疑似体験具３０の使用方法について説明する。まず、バンド本体３２を表面３２ａを外側にして環状にし、紐状部材３６をリング部材３５に挿通させる。そして、先端３６ａ側で折り返し、バンド本体３２の環状内径が手首Ｓを挿通し得る大きさにして固着部３８ａを被固着部３８ｂに固着させる。この状態でバンド本体３２を手首Ｓに挿通させた後、固着部３８ａを被固着部３８ｂから脱着し、紐状部材３６を引張して、バンド本体３２が手首Ｓに対して巻付け固定されるように環状内径の大きさを縮径させる。このとき、紐状部材３６の折り返しの軸となるリング部材３５が重り３４に近接させて設けられているため、リング部材３５が取付けされた収納部３３ａに収納された重り３４ａがバンド本体３２を手首Ｓの上で支持する役割を果たすことになる。そして、この状態を維持したままで紐状部材３６をリング部材３５を軸として折り返し、固着部３８ａを被固着部３８ｂに固着させ、手首Ｓにフィットした状態で装着させる。このように疑似体験具３０を装着した状態で腕を動かそうとすると、手首Ｓに装着された重り３４を収納したバンド本体３２の重さで、筋力の低下による腕の緩慢な動きが再現される。
【００６２】
以上より、疑似体験具３０によれば、リング部材３５に近接する収納部３３に収納された重り３４がバンド本体３２を手首Ｓの上で支持する役割を果たすことになるので、装着者は一度環状にしたバンド本体３２を手首に装着し、リング部材３５を軸として固着部材３８の固着位置を移動させるだけでバンド本体３２を手首にフィットさせ、片手でも一人で容易に装着することができる。
【００６３】
図１３〜図１７は、膝関節に装着され、膝関節の曲がり難さを疑似体験するための疑似体験具の一実施の形態を示す。
【００６４】
疑似体験具４０（４１）は、膝関節に巻着される膝当て部材４２と、膝裏当て部４５と膝近傍に固定される一対の固定バンド部４６，４８とから成る固定部材４４とから概略構成される。なお、疑似体験具４０（４１）は、適度の伸縮が得られ、長時間の使用においても持続性，適応性の低下がないようにするため、全体がポリウレタン弾性繊維の不織布構造により成形されるのが好ましい。そして本実施の形態においては、表地をナイロンパイルにより成形する。
【００６５】
膝当て部材４２は、帯状を呈し、膝関節に対して固定部材４４の上から巻着可能な長さに形成される。具体的には、図１４に示すように、固定部材４４の左右方向の幅Ｗを略等倍させた程度の長さにすることができる。膝当て部材４２の裏面４２ｂの左右両端４２ｃ，４２ｄには、膝関節に対する巻着固定を可能とするための固着部材４３，４３が設けられている。また、表面４２ａの略中央には長さ方向に沿って、膝当て部材４２の巻付け具合を調整する際の目安となる目盛り４００が表示されている（図１４）。この目盛り４００には、例えば「Ｓ，Ｍ，Ｌ，・・」等の体型に応じた表示や、疑似体験の対象年齢に合わせた表示として「７０歳，８０歳，９０歳，・・」等の表示を付すことができる。
【００６６】
固定部材４４は、膝裏に被着する膝裏当て部４５と、膝裏当て部４５の左右両端から二股状に延設され、膝近傍に対して巻付け固定する一対の固定バンド部４６，４８とから形成され、展開形状略エ字状を呈している。固定バンド部４６，４８は膝裏当て部４５の左右両端から二股状に延設された固定バンド部４６ａ，４６ｂ、固定バンド部４８ａ，４８ｂがそれぞれ組となって構成されるものであって、固定バンド部４６ａと固定バンド部４８ａ、固定バンド部４６ｂと固定バンド部４８ｂのそれぞれの間には凹部４７，４７が設けられている。そして、膝裏当て部４５の略中央には凹部４７，４７に重なるようにして、また固定部材４４の一端から膝当て部材４２の右端４２ｄを延設させた状態にして膝当て部材４２が取付けされている。
【００６７】
固定バンド部４６ａ，４８ａは、膝近傍に対して伸張させながら巻付けすることのできる程度の長さを有し、裏面４６２，４８２の先端側には他端から延設された固定バンド部４６ｂ，４８ｂに固着するための固着部材４９，４９が長さ方向に沿って設けられている。また、固定バンド部４６ａの表面４６１には端部側に位置して、膝近傍への巻付けの際の目安となるマーク表示部Ｍが設けられている。
【００６８】
次に、疑似体験具４０の使用方法について説明する。まず、固定部材４４を膝の裏側から膝裏当て部４５の裏面が膝裏に被着されるようにし、固定バンド部４６ａの表面に表示させたマーク表示部Ｍが膝方向にくるように伸張させて巻付け、丁度膝の曲がる位置に凹部４７，４７が当接して円形状の穴Ｈが形成される。この状態で固定バンド部４６ａ，４８ａの固着部材４９，４９をそれぞれ固定バンド部４６ｂ，４８ｂに固着する。次に、膝当て部材４２の左端４２ｃを膝関節に巻付けて、固着部材４３で固定部材４４に固着させ、さらに右端４２ｄをその上から重ねるようにして伸張させながら巻付けて、膝当て部材４２の表面４２ａに固着させる。このとき、膝当て部材４２に表示させた目盛り４００のいずれかに右端４２ｄを合わせて固着させる。このように疑似体験具４０（４１）を装着して膝を曲げようとすると、膝関節の上から膝当て部材４２を重ね巻きして被着しているので、膝関節の屈曲度が規制され、膝の曲がり難さが再現される。なお、膝当て部材４２，固定部材４４の表地はナイロンパイルで成形されていることから、各固着部材を直接固着させることができ、各装着者にとっての好適な位置で固着させることができる。
【００６９】
以上より、疑似体験具４０（４１）によれば、装着者は固定バンド部４６，４８と膝当て部材４２とを、それぞれ膝近傍および膝関節に巻付けするだけで装着することができるので、一人で容易に装着することができる。また、装着者自身で装着することができ、かつ伸縮性を有する部材を巻付けていることから、膝近傍への巻付け具合等、疑似体験を最適な状態で行うことができる。さらに、膝当て部材４２，固定部材４４の表地には固着部材を直接固着させることができる素材を用いたので、装着者の体型等に応じて疑似体験をより快適に行うことができる位置に固着させることができる。
【００７０】
また、膝当て部材４２の表面４２ａに設けた目盛り４００に合わせて膝当て部材４２の巻付け具合を調整することができるので、装着者の体型に応じた装着や、疑似体験の対象年齢に合わせた装着をすることができる。
【００７１】
図１８〜図２２は、足首に装着され、高齢者等に生じる足首関節の曲がり難さを疑似体験するための疑似体験具の一実施の形態を示す。
【００７２】
疑似体験具５０（５１）は、図１８に示した如く、横から見るとくの字に屈曲した靴型形状を有している。疑似体験具５０（５１）は、靴型形状の足首当て部材５２と、この足首当て部材５２の左右両側面に取付けられる足首当板５４，５４と、足首当て部材５２を足首に固定する巻着部材５６，５６と，足首当て部材の固定を補助する固着補助部材５８とから概略構成される。
【００７３】
足首当て部材５２は、屈曲部位から一端（足首から爪先方向）に向かって筒状に設けられた筒状部５２１と、他端（足首から膝方向）に向かって展開形状に設けられた展開部５２２とから成る。この展開部５２２には左右両端５２２ａ，５２２ｂから上下方向略中間の位置にそれぞれのスリット５２２Ａ，５２２Ｂが設けられ、展開部５２２の右端５２２ｂには、足首当て部材５２を足首に装着する際に展開部５２２を足首に巻回し筒状にして固定するための固着部材５３Ａ，５３Ｂがこのスリット５２２Ａ，５２２Ｂを挟んだ上下に設けられている。また、くの字の屈曲部位には穴Ｈが設けられ、筒状部５２１の先端には開口部５２１ａが形成されている。なお、足首当て部材５２は、適度の伸縮が得られて長時間の使用においても持続性，適応性の低下がないようにするため、ポリウレタン弾性繊維の不織布構造により成形するのが好ましい。
【００７４】
足首当板５４，５４は、疑似体験具５０を足首に装着した際に足首関節の屈曲を規制するためのものであって、合成樹脂等から成り、足首を両側面から挟みこむように足首当て部材５２の筒状部５２１と展開部５２２に亘って取付けされる。この際、足首当板５４，５４の取付面５４ａ，５４ａにマジックテープ（登録商標）等の掛着部材を設けておけば、足首当板５４，５４を単独で足首当て部材５２に取付けすることができる。
【００７５】
巻着部材５６，５６は、足首当て部材５２を足首に固定させるためのものであって、足首当て部材５２を少なくとも一周以上巻回できる長さを有する帯状を呈し、先端の一面には足首当て部材５２の表面５２ａに巻回した状態で固着するための巻着面５７，５７が設けられている。そして、この巻着部材５６，５６はそれぞれ足首当て部材５２の筒状部５２１の下面５２１ｂから延設されている。
【００７６】
固着補助部材５８は、上述の展開部５２２に設けられた固着部材５３Ａ，５３Ｂのうち、かかと側に位置する固着部材５３Ｂから延設され、裏面５８ａの略全面が固着面とされ、例えばマジックテープ（登録商標）等が設けられている。そして、固着補助部材５８は、展開部５２２の固着部材５３Ｂを延設させた状態となるように取付けされている。
【００７７】
次に、疑似体験具５０の使用方法について説明する。まず、装着者は靴を履いたままで、足首当て部材５２の筒状部５２１に足の爪先から挿入して足の甲に筒状部５２１をフィットさせ、足首の曲がる部分が穴Ｈに位置し、さらに開口部５２１ａから爪先部分が露出するようにする。この状態で、先ず展開部５２２の上側に位置する固着部材５３Ａを展開部５２２の左端５２２ａの上側に固着させ、つぎに下側の固着部材５３Ｂを左端５２２ａの下側に固着させるか又は固着補助部材５８を足首当て部材５２の表面５２ａに巻付けるようにして固着させる。このとき、装着者の足や靴のサイズが用意した疑似体験具５０（５１）の大きさに適合すれば固着部材５３Ｂと固着補助部材５８の双方で仮止め可能である（図２０）。一方、足や靴のサイズが大きい等の理由により固着部材５３Ｂが他端５２２ａに届かなかった場合には、固着補助部材５８によって仮止めが行われることになる（図２１）。これにより、展開部５２２は筒状を形成し、仮止めが完了する。
【００７８】
さらに、図２２に示す如く、２本の巻着部材５６，５６を足の甲に向かって穴Ｈのあたりで交差するように巻付け、足首当て部材５２の表面５２ａに巻着面５７で固定させる。これで、装着者は疑似体験具５０を装着した後そのまま行動を起こすことができ、足首を曲げようとすると足首当板５４，５４によって足首関節の屈曲度が規制され、足首の曲がり難さが再現される。
【００７９】
以上より、疑似体験具５０によれば、固着部材５３Ａ，５３Ｂ、固着補助部材５８、巻着部材５６，５６をそれぞれ巻付けて固定するだけで容易且つ迅速に装着することができる。特に、装着者の靴のサイズが大きい等の理由によって固着部材５３Ｂによる展開部５２２への仮止めが不可能な場合であっても、固着補助部材５８を足首当て部材５２の表面５２ａに巻付けするようにして固着させるだけで、装着者を選ぶことなく、しかも容易に装着することができる。
【００８０】
ここで、装着者による疑似体験の一例について説明する。装着者が上記各疑似体験具を装着して歩行する場合、図２３に示す如く、足首の動きに遊びが殆ど得られないのでつま先が十分に上がらず、また胸部に荷重がかけられていることからも全体的に前屈姿勢となり、なお一層つま先の上がりを困難にする。さらに足首に荷重をかけて膝を十分に曲げることができないようにしたことからもつま先の上げにくさを助長する。本来、背筋は角度θ１程度の起き上がりがあり、膝も角度θ２程度の曲がりが得られ、さらに爪先はあと角度θ３程度の上がりが得られるが、上記各疑似体験具により、身体的機能の低下を再現することで安全な歩行が困難となる。これは身体的機能の低下を実感していない体験者にとって心理的な不安を募らせることはもちろん、いかに高齢者等が困難な歩行をしいられているかを理解するのに十分な体験である。
【図面の簡単な説明】
【００８１】
【図１】上半身に装着する疑似体験具の一実施の形態を示す正面図である。
【図２】図１に示した疑似体験具の装着状態を示す側面図である。
【図３】図１に示した疑似体験具の装着状態を示す要部拡大断面図である。
【図４】図１に示した疑似体験具を示す要部拡大断面図である。
【図５】図１に示した疑似体験具の他の装着状態を示す側面図である。
【図６】肘関節に装着する疑似体験具の一実施の形態を示す正面図である。
【図７】図６のＡ−Ａ線断面図である。
【図８】図６に示した疑似体験具の装着手順を説明する斜視図である。
【図９】図６に示した疑似体験具の装着手順を説明する斜視図である。
【図１０】手首に装着する疑似体験具の一実施の形態を示す断面図である。
【図１１】図１０に示した疑似体験具の装着手順を説明する断面図である。
【図１２】図１０に示した疑似体験具の装着状態を示す斜視図である。
【図１３】膝関節に装着する疑似体験具の一実施の形態を示す正面図である。
【図１４】図１３に示した疑似体験具の背面図である。
【図１５】図１３に示した疑似体験具の装着手順を説明する図である。
【図１６】図１３に示した疑似体験具の装着手順を説明する斜視図である。
【図１７】図１３に示した疑似体験具の装着手順を説明する斜視図である。
【図１８】足首に装着する疑似体験具の一実施の形態を示す正面斜視図である。
【図１９】図１８に示した疑似体験具の装着手順を説明する斜視図である。
【図２０】図１８に示した疑似体験具の仮止め状態を示す斜視図である。
【図２１】図１８に示した疑似体験具の他の仮止め状態を示す斜視図である。
【図２２】図１８に示した疑似体験具の装着状態を示す斜視図である。
【図２３】各疑似体験具の装着状態を示す側面図である。
【図２４】上半身に装着する疑似体験具の従来例を示す要部拡大断面図である。
【図２５】図２４の従来例の正面図である。
【図２６】手首に装着する疑似体験具の従来例を示す断面図である。
【図２７】足首に装着する疑似体験具の従来例を示す斜視図である。
【符号の説明】
【００８２】
１０ （上半身に装着する）疑似体験具
１１ 上着本体
１３ 収納部
１５ 重り
１７，１８ 閉塞部材
２０，２１ （肘関節に装着する）疑似体験具
２２ 肘当て部
２４，２６ 固定バンド部
３０ （手首に装着する）疑似体験具
３２ バンド本体
３４ 重り
３５ リング部材
３６ 紐状部材
３８ 固着部材
４０，４１ （膝関節に装着する）疑似体験具
４２ 膝当て部材
４３，４９ 固着部材
４４ 固定部材
４５ 膝裏当て部
４６，４８ 固定バンド部
５０，５１ （足首に装着する）疑似体験具
５２ 足首当て部材
５３Ａ，５３Ｂ 固着部材
５６ 巻着部材
５８ 固着補助部材
【図１】
0003720041.tif 000002
【図２】
0003720041.tif 000003
【図３】
0003720041.tif 000004
【図４】
0003720041.tif 000005
【図５】
0003720041.tif 000006
【図６】
0003720041.tif 000007
【図７】
0003720041.tif 000008
【図８】
0003720041.tif 000009
【図９】
0003720041.tif 000010
【図１０】
0003720041.tif 000011
【図１１】
0003720041.tif 000012
【図１２】
0003720041.tif 000013
【図１３】
0003720041.tif 000014
【図１４】
0003720041.tif 000015
【図１５】
0003720041.tif 000016
【図１６】
0003720041.tif 000017
【図１７】
0003720041.tif 000018
【図１８】
0003720041.tif 000019
【図１９】
0003720041.tif 000020
【図２０】
0003720041.tif 000021
【図２１】
0003720041.tif 000022
【図２２】
0003720041.tif 000023
【図２３】
0003720041.tif 000024
【図２４】
0003720041.tif 000025
【図２５】
0003720041.tif 000026
【図２６】
0003720041.tif 000027
【図２７】
0003720041.tif 000028